(57)【要約】  本発明は、サービスに基づいた処理方法、端末装置、ネットワーク装置及びコンピュータ記憶媒体を開示する。前記方法は、前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することを含む。
2021516473.tif 000002
【特許請求の範囲】
【請求項１】
サービスに基づいた処理方法であって、端末装置に適用され、前記方法は、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することを含む、前記方法。
【請求項２】
前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、
前記他のドメインは、前記端末装置の現在使用中のドメインと異なるドメインであり、回線交換ＣＳドメイン又はパケット交換ＰＳドメインを含むことを特徴とする
請求項１に記載の方法。
【請求項３】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていないことを示し、且つ前記ネットワーク側から受信された指示情報が、前記ターゲットサービスから他のシステム又は他のドメインへのフォールバックをサポートしていることを示す場合、
前記端末装置が、他のシステム又は他のドメインを選択して前記ターゲットサービスに関するサービス要求を開始することを含むことを特徴とする
請求項１に記載の方法。
【請求項４】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていることを示し、且つネットワークから受信された指示情報が、前記ターゲットサービスから他のシステム又は他のドメインへのフォールバックをサポートしていないことを示すか、又は前記ネットワーク側からの指示情報が受信されていない場合、
前記端末装置が、他のシステム又は他のドメインを選択して前記ターゲットサービスに関するサービス要求を開始することを含むことを特徴とする
請求項１に記載の方法。
【請求項５】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワーク側からの、前記ターゲットサービスから他のシステム又は他のドメインへのフォールバックをサポートしていることを示す指示情報が受信されていないか、又は、ネットワーク側からの、前記ターゲットサービスをサポートすることを示す指示情報が受信されていない場合、前記端末装置が、他のシステム又は他のドメインを選択して前記ターゲットサービスに関するサービス要求を開始することを含むことを特徴とする
請求項１に記載の方法。
【請求項６】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていることを示す場合、前記ネットワーク側からの、他のシステム又は他のドメインを直接的に選択してターゲットサービスに関するサービス要求を開始するように前記端末装置に指示する指示情報が受信された場合、前記端末装置が、他のシステム又は他のドメインを選択して前記ターゲットサービスに関するサービス要求を開始することを含むことを特徴とする
請求項１に記載の方法。
【請求項７】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワーク側からの指示情報が受信された場合、前記端末装置が前記指示情報を解析することができないか、又は、前記指示情報が、前記ターゲットサービスから他のシステム又は他のドメインへのフォールバックをサポートしていないことを示す場合、前記端末装置が、他のシステム又は他のドメインを選択して前記ターゲットサービスに関するサービス要求を開始することを含むことを特徴とする
請求項１に記載の方法。
【請求項８】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワークからの、前記ターゲットサービスからのフォールバックをサポートしている指示情報が受信された場合、前記端末装置が前記指示情報を解析することができないか、又は、前記端末装置が該サービスから他のネットワーク又はシステムへのフォールバックをサポートしていない場合、前記端末装置が、他のシステム又は他のドメインを選択して前記ターゲットサービスに関するサービス要求を開始することを含むことを特徴とする
請求項１に記載の方法。
【請求項９】
サービスに基づいた処理方法であって、ネットワーク装置に適用され、前記方法は、
端末装置が、ＮＲネットワークにキャンプオンする時に、前記端末装置に指示情報を送信することを含む、前記方法。
【請求項１０】
前記指示情報は、ネットワーク側が前記ターゲットサービスをサポートしているか否かの指示、又はネットワーク側が前記ターゲットサービスからのフォールバックをサポートしているか否かの指示を含み、前記他のシステムは、前記ＮＲネットワーク以外の少なくとも１つのシステムであり、前記他のドメインは、前記端末装置の現在使用中のドメインと異なるドメインであり、回線交換ＣＳドメイン又はパケット交換ＰＳドメインを含むことを特徴とする
請求項９に記載の方法。
【請求項１１】
前記端末装置に指示情報を送信する前に、前記方法は、
前記端末装置の能力情報を受信し、前記能力情報が少なくとも、前記端末装置が他のシステム又は他のドメインへフォールバックする能力をサポートしているか否かを示すために用いられることを更に含むことを特徴とする
請求項９に記載の方法。
【請求項１２】
端末装置であって、
ネットワーク側への能力情報の報告及び／又はネットワーク側からの指示情報の受信を行う第１通信ユニットと、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定する第１処理ユニットとを備える、前記端末装置。
【請求項１３】
前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、
前記他のドメインは、前記端末装置の現在使用中のドメインと異なるドメインであり、回線交換ＣＳドメイン又はパケット交換ＰＳドメインを含むことを特徴とする
請求項１２に記載の端末装置。
【請求項１４】
前記第１処理ユニットは、ネットワーク側に報告した能力情報が、前記端末装置が他のシステム又は他のドメインへフォールバックする能力をサポートしていないことを示し、且つ前記ネットワーク側からの、前記ターゲットサービスから他のシステム又は他のドメインへのフォールバックをサポートしていることを示す指示情報を受信した場合、他のシステム又は他のドメインを選択して前記ターゲットサービスに関するサービス要求を開始することを特徴とする
請求項１２に記載の端末装置。
【請求項１５】
前記第１処理ユニットは、前記端末装置の能力情報が、前記端末装置が他のシステム又は他のドメインへフォールバックする能力をサポートしていることを示し、且つネットワークから受信された指示情報が、前記ターゲットサービスから他のシステム又は他のドメインへのフォールバックをサポートしていないことを示すか、又は前記ネットワーク側からの指示情報が受信されていない場合、他のシステム又は他のドメインを選択して前記ターゲットサービスに関するサービス要求を開始することを特徴とする
請求項１２に記載の端末装置。
【請求項１６】
前記第１処理ユニットは、前記ネットワーク側からの、前記ターゲットサービスから他のシステム又は他のドメインへのフォールバックをサポートしていることを示す指示情報が受信されていないか、又は、ネットワーク側からの、前記ターゲットサービスをサポートすることを示す指示情報が受信されていない場合、他のシステム又は他のドメインを選択して前記ターゲットサービスに関するサービス要求を開始することを特徴とする
請求項１２に記載の端末装置。
【請求項１７】
前記第１処理ユニットは、ネットワーク側に報告した能力情報が、前記端末装置が他のシステム又は他のドメインへフォールバックする能力をサポートしていることを示す場合、前記ネットワーク側からの、他のシステム又は他のドメインを直接的に選択してターゲットサービスに関するサービス要求を開始するように前記端末装置に指示する指示情報が受信された場合、他のシステム又は他のドメインを選択して前記ターゲットサービスに関するサービス要求を開始することを特徴とする
請求項１２に記載の端末装置。
【請求項１８】
前記第１処理ユニットは、前記ネットワーク側からの指示情報が受信された場合、前記指示情報を解析することができないか、又は、前記指示情報が、前記ターゲットサービスから他のシステム又は他のドメインへのフォールバックをサポートしていないことを示す場合、他のシステム又は他のドメインを選択して前記ターゲットサービスに関するサービス要求を開始することを特徴とする
請求項１２に記載の端末装置。
【請求項１９】
前記第１処理ユニットは、前記ネットワークからの、前記ターゲットサービスからのフォールバックをサポートしている指示情報が受信された場合、前記端末装置が前記指示情報を解析することができないか、又は、前記端末装置が該サービスから他のネットワーク又はシステムへのフォールバックをサポートしていない場合、他のシステム又は他のドメインを選択して前記ターゲットサービスに関するサービス要求を開始することを特徴とする
請求項１２に記載の端末装置。
【請求項２０】
ネットワーク装置であって、
端末装置が、ＮＲネットワークにキャンプオンする時に、第２通信ユニットにより、前記端末装置に指示情報を送信する第２処理ユニットと、
前記端末装置に前記指示情報を送信する第２通信ユニットとを備える、前記ネットワーク装置。
【請求項２１】
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、前記他のシステムは、前記ＮＲネットワーク以外の少なくとも１つのシステムであり、前記他のドメインは、前記端末装置の現在使用中のドメインと異なるドメインであり、回線交換ＣＳドメイン又はパケット交換ＰＳドメインを含むことを特徴とする
請求項２０に記載のネットワーク装置。
【請求項２２】
前記第２通信ユニットは、前記端末装置の能力情報を受信し、前記能力情報は、前記端末装置が他のシステム又は他のドメインへフォールバックする能力をサポートしているか否かを示すために用いられることを特徴とする
請求項２０に記載のネットワーク装置。
【請求項２３】
端末装置であって、プロセッサと、プロセッサで実行可能なコンピュータプログラムを記憶するためのメモリとを備え、
前記プロセッサは、前記コンピュータプログラムを実行する時、請求項１−８のうちいずれか一項に記載の方法のステップを実行するように構成される、前記端末装置。
【請求項２４】
ネットワーク装置であって、プロセッサと、プロセッサで実行可能なコンピュータプログラムを記憶するためのメモリとを備え、
前記プロセッサは、前記コンピュータプログラムを実行する時、請求項９−１１のうちいずれか一項に記載の方法のステップを実行するように構成される、前記ネットワーク装置。
【請求項２５】
コンピュータ記憶媒体であって、前記コンピュータ記憶媒体には、コンピュータによる実行可能な命令が記憶されており、前記コンピュータによる実行可能な命令が実行される時、請求項１−１１のうちいずれか一項に記載の方法のステップを実現させる、前記コンピュータ記憶媒体。
【発明の詳細な説明】
【技術分野】
【０００１】
本発明は、情報処理技術分野に関し、特に、サービスに基づいた処理方法、端末装置、ネットワーク装置及びコンピュータ記憶媒体に関する。
【背景技術】
【０００２】
ネットワークは、音声サービス（緊急呼出音声サービスを含み、以下、音声サービスと略称する）をサポートしている場合、端末装置に音声サービスサポート指示情報を送信する。ネットワークは、音声サービスを直接的にサポートすることができないが、他のシステムへのフォールバックをサポートしている場合、他のシステムへのフォールバックをサポートしていることを端末に指示する。ネットワークは、音声サービスをサポートしていないだけではなく、他のシステムへのフォールバックもサポートしていない場合、端末の挙動が不明であるという課題が生じる。
【発明の概要】
【発明が解決しようとする課題】
【０００３】
上記技術的課題を解決するために、本発明の実施例は、サービスに基づいた処理方法、端末装置、ネットワーク装置及びコンピュータ記憶媒体を提供する。
【課題を解決するための手段】
【０００４】
本発明の実施例は、サービスに基づいた処理方法を提供し、該方法は端末装置に適用され、前記方法は、
端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することを含む。
【０００５】
本発明の実施例は、サービスに基づいた処理方法を提供し、該方法はネットワーク装置に適用され、前記方法は、
端末装置が、ＮＲネットワークにキャンプオンする時に、前記端末装置に指示情報を送信することを含む。
【０００６】
本発明の実施例は、端末装置を提供し、該端末装置は、
ネットワーク側への能力情報の報告及び／又はネットワーク側からの指示情報の受信を行う第１通信ユニットと、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定する第１処理ユニットとを備える。
【０００７】
本発明の実施例は、ネットワーク装置を提供し、該ネットワーク装置は、
端末装置が、ＮＲネットワークにキャンプオンする時に、第２通信ユニットにより、前記端末装置に指示情報を送信する第２処理ユニットと、
前記端末装置に前記指示情報を送信する第２通信ユニットとを備える。
【０００８】
本発明の実施例が提供する端末装置は、プロセッサと、プロセッサで実行可能なコンピュータプログラムを記憶するためのメモリとを備え、
前記プロセッサは、前記コンピュータプログラムを実行する時、前記方法のステップを実行するように構成される。
【０００９】
本発明の実施例が提供するネットワーク装置は、プロセッサと、プロセッサで実行可能なコンピュータプログラムを記憶するためのメモリとを備え、
前記プロセッサは、前記コンピュータプログラムを実行する時、前記方法のステップを実行するように構成される。
【００１０】
本発明の実施例は、コンピュータ記憶媒体を提供し、前記コンピュータ記憶媒体には、コンピュータによる実行可能な命令が記憶されており、前記コンピュータによる実行可能な命令が実行される時、前記方法のステップを実現させる。
【図面の簡単な説明】
【００１１】
【図１】本発明の実施例に係るサービスに基づいた処理方法を示す第１フローチャートである。
【図２】本発明の実施例に係るサービスに基づいた処理方法を示す第２フローチャートである。
【図３】本発明の実施例に係る端末装置の構成を示す概略図である。
【図４】本発明の実施例に係るネットワーク装置の構成を示す概略図である。
【図５】本発明の実施例に係るハードウェアアーキテクチャを示す概略図である。
【発明を実施するための形態】
【００１２】
本発明の実施例の考案によれば、自身の能力情報及び／又はネットワーク側からの指示に基づいて、サービス要求を開始する時に他のシステム又は他のドメインを選択するかを決定することができる。従って、端末装置は自身の能力及びネットワークからの指示情報に合わせて自体の挙動を明らかにすることができるようになる。これにより、ネットワーク側が音声サービスも他のシステムへのフォールバックもサポートしていない場合、ターゲットサービスに対する端末装置の処理挙動を明らかに知り得る。
【００１３】
本発明の実施例の特徴及び要旨をより詳細に理解できるように、以下、図面を参照しながら本発明の実施例の実現形態を詳細に説明する。添付した図面は、参照のためのものに過ぎず、本発明の実施例を限定するものではない。
【００１４】
実施例１
本発明の実施例は、サービスに基づいた処理方法を提供し、該方法は端末装置に適用され、前記方法は、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することを含む。
【００１５】
具体的には、前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、例えば、ＬＴＥネットワーク、５Ｇ、４Ｇ、３Ｇなどのような他のシステムネットワークであってもよく、ここで例を挙げない。
【００１６】
前記他のドメインは、前記端末装置の現在使用中のドメインと異なるドメインであり、回線交換ＣＳドメイン又はパケット交換ＰＳドメインを含む。
【００１７】
前記端末装置の現在使用中のドメインは、ＣＳドメイン又はＰＣドメインのうちの１つであってもよく、なお、前記他のドメインは、現在使用中のドメイン以外の別のドメインであることが理解されるべきである。つまり、前記処理には、前記端末装置がＮＲシステムにキャンプオンし、ターゲットドメインを選択する時に、後続の操作を実行することが更に含まれる。
【００１８】
更に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、下記複数の実施シナリオを含んでもよい。
【００１９】
シナリオ１
前記端末装置の能力情報が、前記端末装置が他のシステム又は他のドメインへフォールバックする能力をサポートしていないことを示し、且つネットワークから受信された指示情報が、前記ターゲットサービスから他のシステム又は他のドメインへのフォールバックをサポートしていることを示す場合、前記端末装置が、他のシステム又は他のドメインを選択して前記ターゲットサービスに関するサービス要求を開始する。
【００２０】
図１を参照しながら本シナリオを説明すると、以下を含む。
【００２１】
ステップ１０１において、端末装置が、ＮＲネットワークにキャンプオンする時に、前記端末装置は、他のシステムへのフォールバックをサポートしていないことを示す能力情報をネットワーク側に報告する。
【００２２】
ステップ１０２において、ネットワーク側が端末からの能力情報を受信してから、前記ネットワーク側は、他のシステム又は他のドメインを直接的に選択して該ターゲットサービスを開始することができることを示す指示情報を前記端末装置に送信する。
【００２３】
ステップ１０３において、前記端末装置が関連するターゲットサービスを開始しようとする時、他のシステム又はドメインを選択して前記ターゲットサービスに関するサービス要求を開始する。
【００２４】
シナリオ２
前記端末装置の能力情報が、前記端末装置が他のシステム又は他のドメインへフォールバックする能力をサポートしていることを示し、且つネットワークから受信された指示情報が、前記ターゲットサービスから他のシステム又は他のドメインへのフォールバックをサポートしていないことを示すか、又は前記ネットワーク側からの指示情報が受信されていない場合、
前記端末装置が、他のシステム又は他のドメインを選択して前記ターゲットサービスに関するサービス要求を開始する。
【００２５】
具体的には、端末がＮＲネットワークにキャンプオンし、端末装置が他のシステム又は他のドメインへフォールバックする能力をサポートしていることをネットワーク側に通知したが、ネットワーク側からの指示情報が、ネットワーク側が他のシステム又は他のドメインへのフォールバックをサポートしていないことを示す場合、端末装置が、他のシステム又は他のドメインを選択して前記ターゲットサービスに関するサービス要求を開始する。
【００２６】
又は、
端末がＮＲネットワークにキャンプオンし、端末装置が他のシステム又は他のドメインへフォールバックする能力をサポートしていることをネットワーク側に通知したが、前記ネットワーク側からの指示情報が受信されていない場合、端末装置が、他のシステム又は他のドメインを選択して前記ターゲットサービスに関するサービス要求を開始する。
【００２７】
シナリオ３
前記ネットワーク側からの、前記ターゲットサービスから他のシステム又は他のドメインへのフォールバックをサポートしていることを示す指示情報が受信されていないか、又は、ネットワーク側からの、前記ターゲットサービスをサポートすることを示す指示情報が受信されていない場合、前記端末装置が、他のシステム又は他のドメインを選択して前記ターゲットサービスに関するサービス要求を開始する。
【００２８】
具体的には、端末がＮＲネットワークにキャンプオンし、端末は、ネットワークが該サービスをサポートしていることを示す指示又は該サービスからのフォールバックをサポートしていることを示す指示情報を受信していない場合、関連サービスを開始しようとする場合、他のシステム又はドメインを選択してサービス要求を開始する。
【００２９】
シナリオ４
前記端末装置の能力情報が、前記端末装置が他のシステム又は他のドメインへフォールバックする能力をサポートしていることを示す場合、前記ネットワーク側からの、他のシステム又は他のドメインを直接的に選択してターゲットサービスに関するサービス要求を開始するように前記端末装置に指示する指示情報が受信された場合、前記端末装置が、他のシステム又は他のドメインを選択して前記ターゲットサービスに関するサービス要求を開始する。
【００３０】
例えば、図２を参照すると、以下を含む。
【００３１】
ステップ２０１において、端末装置が、ＮＲネットワークにキャンプオンする時に、前記端末装置は、他のシステムへのフォールバックをサポートしていることを示す能力情報をネットワーク側に報告する。
【００３２】
ステップ２０２において、ネットワーク側が他のシステムへのフォールバックをサポートしていない場合、端末装置は、ネットワーク側からの、他のシステム又は他のドメインを直接的に選択して該サービスを開始することができることを示す指示情報を受信する。
【００３３】
ステップ２０３において、端末装置がネットワーク側からの指示情報を受信してから、関連サービスを開始しようとする場合、他のシステム又はドメインを選択してサービス要求を開始する。
【００３４】
シナリオ５
前記ネットワーク側からの指示情報が受信された場合、前記端末装置が前記指示情報を解析することができないか、又は、前記指示情報が、前記ターゲットサービスから他のシステム又は他のドメインへのフォールバックをサポートしていないことを示す場合、前記端末装置が、他のシステム又は他のドメインを選択して前記ターゲットサービスに関するサービス要求を開始し、
また、
前記ネットワークからの、前記ターゲットサービスからのフォールバックをサポートしている指示情報が受信された場合、前記端末装置が前記指示情報を解析することができないか、又は、前記端末装置が該サービスから他のネットワーク又はシステムへのフォールバックをサポートしていない場合、前記端末装置が、他のシステム又は他のドメインを選択して前記ターゲットサービスに関するサービス要求を開始する。
【００３５】
つまり、端末がＮＲネットワークにキャンプオンし、端末は、ネットワークが該サービスからのフォールバックをサポートしていることを示す指示情報を受信したが、該指示情報が理解できないか、又は、端末が、該サービスから他のネットワーク又はシステムへのフォールバックをサポートしていない場合、関連サービスを開始しようとする場合、他のシステム又はドメインを選択してサービス要求を開始する。
【００３６】
又は、端末がＮＲネットワークにキャンプオンし、端末が受信した、ネットワークからの前記指示情報が、前記ターゲットサービスから他のシステム又は他のドメインへのフォールバックをサポートしていないことを示す場合、前記端末は、他のシステム又は他のドメインを選択して前記ターゲットサービスに関するサービス要求を開始する。
【００３７】
上記から分かるように、上記考案によれば、自身の能力情報及び／又はネットワーク側からの指示に基づいて、サービス要求を開始する時に他のシステム又は他のドメインを選択するかを決定することができる。それによって、端末装置は自身の能力及びネットワークからの指示情報に合わせて自体の挙動を明らかにすることができるようになる。これにより、ネットワーク側が音声サービスも他のシステムへのフォールバックもサポートしていない場合、ターゲットサービスに対する端末装置の処理挙動を明らかに知り得る。
【００３８】
実施例２
本発明の実施例は、サービスに基づいた処理方法を提供し、該方法はネットワーク装置に適用され、前記方法は、
端末装置が、ＮＲネットワークにキャンプオンする時に、前記端末装置に指示情報を送信することを含む。
【００３９】
具体的には、前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、例えば、ＬＴＥネットワーク、５Ｇ、４Ｇ、３Ｇなどのような他のシステムネットワークであってもよく、ここで例を挙げない。
【００４０】
前記他のドメインは、前記端末装置の現在使用中のドメインと異なるドメインであり、回線交換ＣＳドメイン又はパケット交換ＰＳドメインを含む。
【００４１】
前記端末装置の現在使用中のドメインは、ＣＳドメイン又はＰＣドメインのうちの１つであってもよく、なお、前記他のドメインは、現在使用中のドメイン以外の別のドメインであることが理解されるべきである。つまり、前記処理には、前記端末装置がＮＲシステムにキャンプオンし、且つターゲットドメインを選択した時、後続の操作を実行することが更に含まれる。
【００４２】
更に、前記端末装置に指示情報を送信する前に、前記方法は、
前記端末装置の能力情報を受信し、前記能力情報が少なくとも、前記端末装置が他のシステム又は他のドメインへフォールバックする能力をサポートしているか否かを示すために用いられることを更に含む。
【００４３】
ネットワーク側に報告した能力情報及び／又はネットワーク側からの指示情報に基づいて、ターゲットサービスを開始する時に、他のシステム又は他のドメインを選択して、前記ターゲットサービスに関するサービス要求を開始するか否かを決定することは、下記複数の実施シナリオを含んでもよい。
【００４４】
シナリオ１
図１を参照しながら本シナリオを説明すると、以下を含む。
【００４５】
ステップ１０１において、端末装置が、ＮＲネットワークにキャンプオンする時に、前記端末装置は、他のシステムへのフォールバックをサポートしていないことを示す能力情報をネットワーク側に報告する。
【００４６】
ステップ１０２において、ネットワーク側が端末からの能力情報を受信してから、前記ネットワーク側は、他のシステム又は他のドメインを直接的に選択して該ターゲットサービスを開始することができることを示す指示情報を前記端末装置に送信する。
【００４７】
ステップ１０３において、前記端末装置が関連するターゲットサービスを開始しようとする時、他のシステム又はドメインを選択して前記ターゲットサービスに関するサービス要求を開始する。
【００４８】
シナリオ２
端末がＮＲネットワークにキャンプオンし、端末装置が他のシステム又は他のドメインへフォールバックする能力をサポートしていることをネットワーク側に通知したが、ネットワーク側からの指示情報が、ネットワーク側が他のシステム又は他のドメインへのフォールバックをサポートしていないことを示す場合、端末装置が、他のシステム又は他のドメインを選択して前記ターゲットサービスに関するサービス要求を開始する。
【００４９】
又は、
端末がＮＲネットワークにキャンプオンし、端末装置が他のシステム又は他のドメインへフォールバックする能力をサポートしていることをネットワーク側に通知したが、前記ネットワーク側からの指示情報が受信されていない場合、端末装置が、他のシステム又は他のドメインを選択して前記ターゲットサービスに関するサービス要求を開始する。
【００５０】
シナリオ３
端末がＮＲネットワークにキャンプオンし、端末は、ネットワークが該サービスをサポートしていることを示す指示又は該サービスからのフォールバックをサポートしていることを示す指示情報を受信していない場合、関連サービスを開始しようとする場合、他のシステム又はドメインを選択してサービス要求を開始する。
【００５１】
シナリオ４
図２を参照すると、以下を含む。
【００５２】
ステップ２０１において、端末装置が、ＮＲネットワークにキャンプオンする時に、前記端末装置は、他のシステムへのフォールバックをサポートしていることを示す能力情報をネットワーク側に報告する。
【００５３】
ステップ２０２において、ネットワーク側が他のシステムへのフォールバックをサポートしていない場合、端末装置は、ネットワーク側からの、他のシステム又は他のドメインを直接的に選択して該サービスを開始することができることを示す指示情報を受信する。
【００５４】
ステップ２０３において、端末装置がネットワーク側からの指示情報を受信してから、関連サービスを開始しようとする場合、他のシステム又はドメインを選択してサービス要求を開始する。
【００５５】
シナリオ５
端末がＮＲネットワークにキャンプオンし、端末は、ネットワークが該サービスからのフォールバックをサポートしていることを示す指示情報を受信したが、該指示情報を理解できないか、又は、端末は、該サービスから他のネットワーク又はシステムへのフォールバックをサポートしていない場合、関連サービスを開始しようとする場合、他のシステム又はドメインを選択してサービス要求を開始する。
【００５６】
又は、端末がＮＲネットワークにキャンプオンし、端末が受信したネットワークからの前記指示情報が、前記ターゲットサービスから他のシステム又は他のドメインへのフォールバックをサポートしていないことを示す場合、前記端末装置が、他のシステム又は他のドメインを選択して前記ターゲットサービスに関するサービス要求を開始する。
【００５７】
上記から分かるように、上記考案によれば、自身の能力情報及び／又はネットワーク側からの指示に基づいて、サービス要求を開始する時に他のシステム又は他のドメインを選択するかを決定することができる。従って、端末装置は自身の能力及びネットワークからの指示情報に合わせて自体の挙動を明らかにすることができるようになる。これにより、ネットワーク側が音声サービスも他のシステムへのフォールバックもサポートしていない場合、ターゲットサービスに対する端末装置の処理挙動を明らかに知り得る。
【００５８】
実施例３
本発明の実施例は、端末装置を提供し、図３に示すように、該端末装置は、
ネットワーク側への能力情報の報告及び／又はネットワーク側からの指示情報の受信を行う第１通信ユニット３１と、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定する第１処理ユニット３２とを備える。
【００５９】
具体的には、前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、例えば、ＬＴＥネットワーク、５Ｇ、４Ｇ、３Ｇなどのような他のシステムネットワークであってもよく、ここで例を挙げない。
【００６０】
前記他のドメインは、前記端末装置の現在使用中のドメインと異なるドメインであり、回線交換ＣＳドメイン又はパケット交換ＰＳドメインを含む。
【００６１】
前記端末装置の現在使用中のドメインは、ＣＳドメイン又はＰＣドメインのうちの１つであってもよく、なお、前記他のドメインは、現在使用中のドメイン以外の別のドメインであることが理解されるべきである。つまり、前記処理には、前記端末装置がＮＲシステムにキャンプオンし、且つターゲットドメインを選択した時、後続の操作を実行することが更に含まれる。
【００６２】
更に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、下記複数の実施シナリオを含んでもよい。
【００６３】
シナリオ１
前記第１処理ユニット３２は、ネットワーク側に報告した能力情報が、前記端末装置が他のシステム又は他のドメインへフォールバックする能力をサポートしていないことを示し、前記ネットワーク側からの、前記ターゲットサービスから他のシステム又は他のドメインへのフォールバックをサポートしていることを示す指示情報を受信した場合、他のシステム又は他のドメインを選択して前記ターゲットサービスに関するサービス要求を開始する。
【００６４】
本シナリオは、端末装置が、ＮＲネットワークにキャンプオンする時に、前記端末装置は、他のシステムへのフォールバックをサポートしていないことを示す能力情報をネットワーク側に報告することと、ネットワーク側が端末からの能力情報を受信してから、前記ネットワーク側は、他のシステム又は他のドメインを直接的に選択して該ターゲットサービスを開始することができることを示す指示情報を前記端末装置に送信することと、前記端末装置が関連するターゲットサービスを開始しようとする時、他のシステム又はドメインを選択して前記ターゲットサービスに関するサービス要求を開始することとを含んでもよい。
【００６５】
シナリオ２
前記第１処理ユニット３２は、前記端末装置の能力情報が、前記端末装置が他のシステム又は他のドメインへフォールバックする能力をサポートしていることを示し、且つネットワークから受信された指示情報が、前記ターゲットサービスから他のシステム又は他のドメインへのフォールバックをサポートしていないことを示すか、又は前記ネットワーク側からの指示情報が受信されていない場合、
他のシステム又は他のドメインを選択して前記ターゲットサービスに関するサービス要求を開始する。
【００６６】
具体的には、端末がＮＲネットワークにキャンプオンし、端末装置が他のシステム又は他のドメインへフォールバックする能力をサポートしていることをネットワーク側に通知したが、ネットワーク側からの指示情報が、ネットワーク側が他のシステム又は他のドメインへのフォールバックをサポートしていないことを示す場合、端末装置が、他のシステム又は他のドメインを選択して前記ターゲットサービスに関するサービス要求を開始する。
【００６７】
又は、
端末がＮＲネットワークにキャンプオンし、端末装置が他のシステム又は他のドメインへフォールバックする能力をサポートしていることをネットワーク側に通知したが、前記ネットワーク側からの指示情報が受信されていない場合、端末装置が、他のシステム又は他のドメインを選択して前記ターゲットサービスに関するサービス要求を開始する。
【００６８】
シナリオ３
前記第１処理ユニット３２は、前記ネットワーク側からの、前記ターゲットサービスから他のシステム又は他のドメインへのフォールバックをサポートしていることを示す指示情報が受信されていないか、又は、ネットワーク側からの、前記ターゲットサービスをサポートすることを示す指示情報が受信されていない場合、他のシステム又は他のドメインを選択して前記ターゲットサービスに関するサービス要求を開始する。
【００６９】
具体的には、端末がＮＲネットワークにキャンプオンし、端末は、ネットワークが該サービスをサポートしていることを示す指示又は該サービスからのフォールバックをサポートしていることを示す指示情報を受信していない場合、関連サービスを開始しようとする場合、他のシステム又はドメインを選択してサービス要求を開始する。
【００７０】
シナリオ４
前記第１処理ユニット３２は、前記端末装置の能力情報が、前記端末装置が他のシステム又は他のドメインへフォールバックする能力をサポートしていることを示す場合、前記ネットワーク側からの、他のシステム又は他のドメインを直接的に選択してターゲットサービスに関するサービス要求を開始するように前記端末装置に指示する指示情報が受信された場合、他のシステム又は他のドメインを選択して前記ターゲットサービスに関するサービス要求を開始する。
【００７１】
例えば、端末装置が、ＮＲネットワークにキャンプオンする時に、前記端末装置は、他のシステムへのフォールバックをサポートしていることを示す能力情報をネットワーク側に報告することと、ネットワーク側が他のシステムへのフォールバックをサポートしていない場合、端末装置は、ネットワーク側からの、他のシステム又は他のドメインを直接的に選択して該サービスを開始することができることを示す指示情報を受信することと、端末装置がネットワーク側からの指示情報を受信してから、関連サービスを開始しようとする場合、他のシステム又はドメインを選択してサービス要求を開始することとを含む。
【００７２】
シナリオ５
前記第１処理ユニット３２は、前記ネットワーク側からの指示情報が受信された場合、前記端末装置が前記指示情報を解析することができないか、又は、前記指示情報が、前記ターゲットサービスから他のシステム又は他のドメインへのフォールバックをサポートしていないことを示す場合、他のシステム又は他のドメインを選択して前記ターゲットサービスに関するサービス要求を開始し、
また、
前記ネットワークからの、前記ターゲットサービスからのフォールバックをサポートしている指示情報が受信された場合、前記端末装置が前記指示情報を解析することができないか、又は、前記端末装置が該サービスから他のネットワーク又はシステムへのフォールバックをサポートしていない場合、他のシステム又は他のドメインを選択して前記ターゲットサービスに関するサービス要求を開始する。
【００７３】
つまり、端末がＮＲネットワークにキャンプオンし、端末は、ネットワークが該サービスからのフォールバックをサポートしていることを示す指示情報を受信したが、該指示情報を理解できないか、又は、端末は、該サービスから他のネットワーク又はシステムへのフォールバックをサポートしていない場合、関連サービスを開始しようとする場合、他のシステム又はドメインを選択してサービス要求を開始する。
【００７４】
又は、端末がＮＲネットワークにキャンプオンし、端末が受信したネットワークからの前記指示情報が、前記ターゲットサービスから他のシステム又は他のドメインへのフォールバックをサポートしていないことを示す場合、前記端末は、他のシステム又は他のドメインを選択して前記ターゲットサービスに関するサービス要求を開始する。
【００７５】
上記から分かるように、上記考案によれば、自身の能力情報及び／又はネットワーク側からの指示に基づいて、サービス要求を開始する時に他のシステム又は他のドメインを選択するかを決定することができる。従って、端末装置は自身の能力及びネットワークからの指示情報に合わせて自体の挙動を明らかにすることができるようになる。これにより、ネットワーク側が音声サービスも他のシステムへのフォールバックもサポートしていない場合、ターゲットサービスに対する端末装置の処理挙動を明らかに知り得る。
【００７６】
実施例４
本発明の実施例は、ネットワーク装置を提供し、図４に示すように、該ネットワーク装置は、
端末装置が、ＮＲネットワークにキャンプオンする時に、第２通信ユニットにより、前記端末装置に指示情報を送信する第２処理ユニット４１と、
前記端末装置に前記指示情報を送信する第２通信ユニット４２とを備える。
【００７７】
具体的には、前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスからのフォールバックをサポートしているか否かの指示を含み、
前記他のシステムは、前記ＮＲネットワーク以外の少なくとも１つのシステムであり、例えば、ＬＴＥネットワーク、５Ｇ、４Ｇ、３Ｇなどのような他のシステムネットワークであってもよく、ここで例を挙げない。
【００７８】
前記他のドメインは、前記端末装置の現在使用中のドメインと異なるドメインであり、回線交換ＣＳドメイン又はパケット交換ＰＳドメインを含む。
【００７９】
前記端末装置の現在使用中のドメインは、ＣＳドメイン又はＰＣドメインのうちの１つであってもよく、なお、前記他のドメインは、現在使用中のドメイン以外の別のドメインであることが理解されるべきである。つまり、前記処理には、前記端末装置がＮＲシステムにキャンプオンし、且つターゲットドメインを選択した時、後続の操作を実行することが更に含まれる。
【００８０】
更に、前記端末装置に指示情報を送信する前に、前記方法は、
前記端末装置の能力情報を受信し、前記能力情報が少なくとも、前記端末装置が他のシステム又は他のドメインへフォールバックする能力をサポートしているか否かを示すために用いられることを更に含む。
【００８１】
ネットワーク側に報告した能力情報及び／又はネットワーク側からの指示情報に基づいて、ターゲットサービスを開始する時に、他のシステム又は他のドメインを選択して、前記ターゲットサービスに関するサービス要求を開始するか否かを決定することは、下記複数の実施シナリオを含んでもよい。
【００８２】
シナリオ１
端末装置が、ＮＲネットワークにキャンプオンする時に、前記端末装置は、他のシステムへのフォールバックをサポートしていないことを示す能力情報をネットワーク側に報告する。ネットワーク側が端末からの能力情報を受信してから、前記ネットワーク側は、他のシステム又は他のドメインを直接的に選択して該ターゲットサービスを開始することができることを示す指示情報を前記端末装置に送信する。前記端末装置が関連するターゲットサービスを開始しようとする時、他のシステム又はドメインを選択して前記ターゲットサービスに関するサービス要求を開始する。
【００８３】
シナリオ２
端末がＮＲネットワークにキャンプオンし、端末装置が他のシステム又は他のドメインへフォールバックする能力をサポートしていることをネットワーク側に通知したが、ネットワーク側からの指示情報が、ネットワーク側が他のシステム又は他のドメインへのフォールバックをサポートしていないことを示す場合、端末装置が、他のシステム又は他のドメインを選択して前記ターゲットサービスに関するサービス要求を開始する。
【００８４】
又は、
端末がＮＲネットワークにキャンプオンし、端末装置が他のシステム又は他のドメインへフォールバックする能力をサポートしていることをネットワーク側に通知したが、前記ネットワーク側からの指示情報が受信されていない場合、端末装置が、他のシステム又は他のドメインを選択して前記ターゲットサービスに関するサービス要求を開始する。
【００８５】
シナリオ３
端末がＮＲネットワークにキャンプオンし、端末は、ネットワークが該サービスをサポートしていることを示す指示又は該サービスからのフォールバックをサポートしていることを示す指示情報を受信していない場合、関連サービスを開始しようとする場合、他のシステム又はドメインを選択してサービス要求を開始する。
【００８６】
シナリオ４
端末装置が、ＮＲネットワークにキャンプオンする時に、前記端末装置は、他のシステムへのフォールバックをサポートしていることを示す能力情報をネットワーク側に報告する。ネットワーク側が他のシステムへのフォールバックをサポートしていない場合、端末装置は、ネットワーク側からの、他のシステム又は他のドメインを直接的に選択して該サービスを開始することができることを示す指示情報を受信する。端末装置がネットワーク側からの指示情報を受信してから、関連サービスを開始しようとする場合、他のシステム又はドメインを選択してサービス要求を開始する。
【００８７】
シナリオ５
端末がＮＲネットワークにキャンプオンし、端末は、ネットワークが該サービスからのフォールバックをサポートしていることを示す指示情報を受信したが、該指示情報を理解できないか、又は、端末は、該サービスから他のネットワーク又はシステムへのフォールバックをサポートしていない場合、関連サービスを開始しようとする場合、他のシステム又はドメインを選択してサービス要求を開始する。
【００８８】
又は、端末がＮＲネットワークにキャンプオンし、端末が受信したネットワークからの前記指示情報が、前記ターゲットサービスから他のシステム又は他のドメインへのフォールバックをサポートしていないことを示す場合、前記端末装置が、他のシステム又は他のドメインを選択して前記ターゲットサービスに関するサービス要求を開始する。
【００８９】
上記から分かるように、上記考案によれば、自身の能力情報及び／又はネットワーク側からの指示に基づいて、サービス要求を開始する時に他のシステム又は他のドメインを選択するかを決定することができる。従って、端末装置は自身の能力及びネットワークからの指示情報に合わせて自体の挙動を明らかにすることができるようになる。これにより、ネットワーク側が音声サービスも他のシステムへのフォールバックもサポートしていない場合、ターゲットサービスに対する端末装置の処理挙動を明らかに知り得る。
【００９０】
本発明の実施例は、端末装又はネットワーク装置のハードウェア構成アーキテクチャを更に提供し、図５に示すように、少なくとも１つのプロセッサ５１と、メモリ５２と、少なくとも１つのネットワークインタフェース５３とを備える。各コンポーネントはバスシステム５４を介して結合される。バスシステム５４は、これらのコンポーネント間の接続及び通信を実現するために用いられることが理解されたい。バスシステム５４は、データバスに加えて、電源バスと、制御バスと、状態信号バスとを備える。明確にするために、図５において、様々なバスをバスシステム５４とする。
【００９１】
本発明の実施例におけるメモリ５２は、揮発性メモリ又は不揮発性メモリであってもよいし、揮発性メモリと不揮発性メモリの両方を含んでもよいことが理解されたい。
【００９２】
幾つかの実施態様において、メモリ５２には、オペレーティングシステム５２１及びアプリケーションプログラム５２２の実行可能なモジュール又はデータ構成、又はそれらの部分集合、それらの拡張集合が記憶されている。
【００９３】
ここで、前記プロセッサ５１は、前記実施例１又は２の方法のステップを実行できるように構成される。ここで詳細な説明を省略する。
【００９４】
本発明の実施例は、コンピュータ記憶媒体を提供し、前記コンピュータ記憶媒体には、コンピュータによる実行可能な命令が記憶されており、前記コンピュータによる実行可能な命令が実行される時、前記実施例１又は２の方法のステップが実施される。
【００９５】
本発明の実施例における上記装置は、ソフトウェア機能モジュールの形式で実現され、且つ独立した製品として販売又は使用される時、１つのコンピュータ読み取り可能な記憶媒体中に記憶されていてもよい。このような理解に基づいて、本発明の実施例の考案は、実質的に又は従来技術に貢献する部分は、ソフトウェア製品の形式で表現することができ、当該コンピュータソフトウェア製品は、１つの記憶媒体に記憶されて、若干の命令を含み、一台のコンピュータデバイス（例えば、パーソナルコンピュータ、サーバ、又はネットワークデバイス等）が本発明の各実施例に記述した方法の全て又は一部を実行するようにする。上述の記憶媒体は、Ｕディスク、リムーバブルハードディスク、読み出し専用メモリ（Ｒｅａｄ  Ｏｎｌｙ  Ｍｅｍｏｒｙ：ＲＯＭ）、磁気ディスク、又は光ディスクなどの、プログラムコードを記憶することができる各種の媒体を含んでも良い。このように、本発明の実施例は、ハードウェアとソフトウェアの任意の特定の組み合わせに限定されるものではない。
【００９６】
それに対応して、本発明の実施例はコンピュータ記憶媒体を更に提供し、該コンピュータ記憶媒体にはコンピュータプログラムが記憶されており、該コンピュータプログラムは、本発明の実施例のデータスケジューリング方法を実行するように設定される。
【００９７】
例示するために、既に本発明の好ましい実施例を開示したが、当業者は各種の改良、増加及び切り替えも可能なものであることを意識することができ、このため、本発明の範囲は上記実施例に限定しないべきである。
【図１】
2021516473.tif 000003
【図２】
2021516473.tif 000004
【図３】
2021516473.tif 000005
【図４】
2021516473.tif 000006
【図５】
2021516473.tif 000007
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
サービスに基づいた処理方法であって、端末装置に適用され、前記方法は、
前記端末装置が、ＮＲネットワークにキャンプオンする時に、ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することを含む、前記方法。
【請求項２】
前記能力情報は少なくとも、前記端末装置が他のシステム又は他のドメインへフォールバックする能力をサポートしているか否かを示すために用いられ、
前記ネットワーク側から送信された前記指示情報は、ネットワーク側が前記ターゲットサービスをサポートしているか否かの指示、又はネットワーク側が前記ターゲットサービスから前記他のシステム又は前記他のドメインへのフォールバックをサポートしているか否かの指示を含み、
前記他のシステムは、前記ＮＲネットワーク以外の少なくとも１つのシステムであり、
前記他のドメインは、前記端末装置の現在使用中のドメインと異なるドメインであり、回線交換ＣＳドメイン又はパケット交換ＰＳドメインを含むことを特徴とする
請求項１に記載の方法。
【請求項３】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていないことを示し、且つ前記ネットワーク側から受信された指示情報が、前記ターゲットサービスから他のシステム又は他のドメインへのフォールバックをサポートしていることを示す場合、
前記端末装置が、他のシステム又は他のドメインを選択して前記ターゲットサービスに関するサービス要求を開始することを含むことを特徴とする
請求項１に記載の方法。
【請求項４】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていることを示し、且つネットワークから受信された指示情報が、前記ターゲットサービスから他のシステム又は他のドメインへのフォールバックをサポートしていないことを示すか、又は前記ネットワーク側からの指示情報が受信されていない場合、
前記端末装置が、他のシステム又は他のドメインを選択して前記ターゲットサービスに関するサービス要求を開始することを含むことを特徴とする
請求項１に記載の方法。
【請求項５】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワーク側からの、前記ターゲットサービスから他のシステム又は他のドメインへのフォールバックをサポートしていることを示す指示情報が受信されていないか、又は、ネットワーク側からの、前記ターゲットサービスをサポートすることを示す指示情報が受信されていない場合、前記端末装置が、他のシステム又は他のドメインを選択して前記ターゲットサービスに関するサービス要求を開始することを含むことを特徴とする
請求項１に記載の方法。
【請求項６】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記端末装置の能力情報が、前記端末装置が他のシステム又は他のドメインへフォールバックする能力をサポートしていることを示す場合、前記ネットワーク側からの、他のシステム又は他のドメインを直接的に選択してターゲットサービスに関するサービス要求を開始するように前記端末装置に指示する指示情報が受信された場合、前記端末装置が、他のシステム又は他のドメインを選択して前記ターゲットサービスに関するサービス要求を開始することを含むことを特徴とする
請求項１に記載の方法。
【請求項７】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワーク側からの指示情報が受信された場合、前記端末装置が前記指示情報を解析することができないか、又は、前記指示情報が、前記ターゲットサービスから他のシステム又は他のドメインへのフォールバックをサポートしていないことを示す場合、前記端末装置が、他のシステム又は他のドメインを選択して前記ターゲットサービスに関するサービス要求を開始することを含むことを特徴とする
請求項１に記載の方法。
【請求項８】
ネットワーク側に報告した能力情報及び／又はネットワーク側から送信された指示情報に基づいて、ターゲットサービスを開始する時に、他のシステム又は他のドメインを選択して、前記ターゲットサービスに関するサービス要求を開始するか否かを決定することは、
前記ネットワークからの、前記ターゲットサービスからのフォールバックをサポートしている指示情報が受信された場合、前記端末装置が前記指示情報を解析することができないか、又は、前記端末装置が該サービスから他のシステム又は他のドメインへのフォールバックをサポートしていない場合、前記端末装置が、他のシステム又は他のドメインを選択して前記ターゲットサービスに関するサービス要求を開始することを含むことを特徴とする
請求項１に記載の方法。
【請求項９】
サービスに基づいた処理方法であって、ネットワーク装置に適用され、前記方法は、
端末装置が、ＮＲネットワークにキャンプオンする時に、前記端末装置に指示情報を送信することを含む、前記方法。
【請求項１０】
前記指示情報は、ネットワーク側が前記ターゲットサービスをサポートしているか否かの指示、又はネットワーク側が前記ターゲットサービスから前記他のシステム又は前記他のドメインへのフォールバックをサポートしているか否かの指示を含み、前記他のシステムは、前記ＮＲネットワーク以外の少なくとも１つのシステムであり、前記他のドメインは、前記端末装置の現在使用中のドメインと異なるドメインであり、回線交換ＣＳドメイン又はパケット交換ＰＳドメインを含むことを特徴とする
請求項９に記載の方法。
【請求項１１】
前記端末装置に指示情報を送信する前に、前記方法は、
前記端末装置の能力情報を受信し、前記能力情報が少なくとも、前記端末装置が他のシステム又は他のドメインへフォールバックする能力をサポートしているか否かを示すために用いられることを更に含むことを特徴とする
請求項９に記載の方法。
【請求項１２】
端末装置であって、
請求項１−８のうちいずれか一項に記載の方法を実行する前記端末装置。
【請求項１３】
ネットワーク装置であって、
請求項９−１１のうちいずれか一項に記載の方法を実行する、前記ネットワーク装置。
【請求項１４】
コンピュータ記憶媒体であって、前記コンピュータ記憶媒体には、コンピュータによる実行可能な命令が記憶されており、前記コンピュータによる実行可能な命令が実行される時、請求項１−１１のうちいずれか一項に記載の方法のステップを実現させる、前記コンピュータ記憶媒体。
【国際調査報告】
2021516473.tif 000008
2021516473.tif 000009
2021516473.tif 000010
2021516473.tif 000011